(57)【要約】【課題】取付部材と基板とにより異音が発生することを抑制することができる光源ユニット及び照明器具を提供する。【解決手段】基板７は、第一面７１と、第二面７２と、を有する。第一面７１には、複数の発光素子７０が設けられている。取付部材８のベース部８１は、対向面８１０を有する。対向面８１０は、第二面７２に対向する。取付部材８の保持部８３は、対向面８１０から突出している。保持部８３は、基板７に引っ掛かっている。保持部８３は、基板７を保持する。突起９は、第二面７２と対向面８１０との間の領域の一部に設けられている。突起９は、第二面７２又は対向面８１０から突出している。【選択図】図１
2018133148.tif 000002
【特許請求の範囲】
【請求項１】
複数の発光素子が設けられている第一面と、前記第一面とは反対側の第二面と、を有する基板と、
前記第二面に対向する対向面を有するベース部と、前記対向面から突出して前記基板に引っ掛かっており、前記基板を保持する保持部と、を含む取付部材と、
前記第二面と前記対向面との間の領域の一部に設けられており、前記第二面又は前記対向面から突出している突起と、
を備えることを特徴とする光源ユニット。
【請求項２】
前記突起は弾性を有することを特徴とする請求項１記載の光源ユニット。
【請求項３】
前記突起は、前記保持部に隣接していることを特徴とする請求項１又は２に記載の光源ユニット。
【請求項４】
前記ベース部は、前記保持部が切り起こされることにより形成された開口部を有し、
前記突起は、前記開口部に隣接している
ことを特徴とする請求項１又は２に記載の光源ユニット。
【請求項５】
前記突起は、前記基板と前記ベース部とのうち前記突起が突出していない部位との間の静摩擦係数が、前記基板と前記ベース部との間の静摩擦係数よりも小さい材料により形成されていることを特徴とする請求項１〜４のいずれか一項に記載の光源ユニット。
【請求項６】
前記突起は、シリコーン樹脂により形成されていることを特徴とする請求項１〜５のいずれか一項に記載の光源ユニット。
【請求項７】
請求項１〜６のいずれか一項に記載の光源ユニットと、
前記光源ユニットが取り付けられる器具本体と、
を備えることを特徴とする照明器具。
【発明の詳細な説明】
【技術分野】
【０００１】
本発明は光源ユニット及び照明器具に関し、より詳細には、複数の発光素子が設けられている基板と、基板を保持する取付部材とを備える光源ユニット及びこの光源ユニットを備える照明器具に関する。
【背景技術】
【０００２】
従来例として特許文献１記載の照明装置を例示する。特許文献１記載の照明装置は、取付板（取付部材）と、基板と、基板に実装された複数の発光素子と、を備えている。取付板は、取付部（ベース部）と、取付部から突出した基板保持部（保持部）とを有している。取付部は、基板保持部との間に基板を挟み込んで基板を保持している。
【先行技術文献】
【特許文献】
【０００３】
【特許文献１】特開２０１６−４６０３６号公報
【発明の概要】
【発明が解決しようとする課題】
【０００４】
しかしながら、特許文献１記載の照明装置では、複数の発光素子が実装された基板が熱膨張し、あるいは熱収縮することによって、取付部材の保持部が基板とこすれ合って、異音が発生する場合がある。特に、基板が熱膨張又は熱収縮すると、基板は、取付部材との間に働く力により撓んだ後、取付部材との接触箇所を移動させながら、撓む前の形状に戻ることがある。このときは、基板と取付部材との接触箇所が一瞬で大きく移動するので、異音が発生しやすい。
【０００５】
本発明は、取付部材と基板とにより異音が発生することを抑制することができる光源ユニット及び照明器具を提供することを目的とする。
【課題を解決するための手段】
【０００６】
上記の課題を解決するために、本発明の一態様に係る光源ユニットは、基板と、取付部材と、突起と、を備える。前記基板は、第一面と、前記第一面とは反対側の第二面と、を有する。前記第一面には、複数の発光素子が設けられている。前記取付部材は、ベース部と、保持部と、を含む。前記ベース部は、対向面を有する。前記対向面は、前記第二面に対向する。前記保持部は、前記対向面から突出している。前記保持部は、前記基板に引っ掛かっている。前記保持部は、前記基板を保持する。前記突起は、前記第二面と前記対向面との間の領域の一部に設けられている。前記突起は、前記第二面又は前記対向面から突出している。
【０００７】
本発明の一態様に係る照明器具は、前記光源ユニットと、器具本体と、を備える。前記器具本体には、前記光源ユニットが取り付けられる。
【発明の効果】
【０００８】
本発明の一態様に係る光源ユニット及び照明器具では、取付部材と基板とにより異音が発生することを抑制することができる。
【図面の簡単な説明】
【０００９】
【図１】図１は、本発明の一実施形態に係る照明器具の分解斜視図である。
【図２】図２は、本発明の一実施形態に係る光源ユニットの要部の斜視図である。
【図３】図３Ａは、同上の光源ユニットの側断面図である。図３Ｂは、図３ＡのＸ１―Ｘ１断面図である。
【図４】図４Ａは、本発明の一実施形態の変形例に係る光源ユニットの側断面図である。図４Ｂは、図４ＡのＸ２−Ｘ２断面図である。
【発明を実施するための形態】
【００１０】
以下、実施形態に係る光源ユニット及び照明器具について、図面を用いて説明する。以下、特に断りのない限り、図１において取付部材８と基板７とが並んでいる方向を照明器具１の上下方向とし、取付部材８側を上とし、基板７側を下とする。また、基板７の長手方向を照明器具１の左右方向とし、基板７の短手方向を照明器具１の前後方向とする。
【００１１】
本実施形態の照明器具１は、図１に示すように、光源ユニット２と、器具本体３と、カバー４と、電源装置５と、端子ブロック６と、を備えている。
【００１２】
光源ユニット２は、基板７と、複数の発光素子７０と、取付部材８と、複数（図１では１２個）の突起９と、を備えている。
【００１３】
基板７は、例えばプリント配線板である。基板７は、長尺の矩形状に形成されている。図１、３Ａに示すように、基板７は、第一面７１（下面）と、第一面７１とは反対側の面である第二面７２（上面）とを有している。基板７の第一面７１には、複数の発光素子７０が設けられている。各発光素子７０としては、例えば発光ダイオード素子が用いられている。複数の発光素子７０は、基板７の長手方向に沿って１列に並んで設けられている。複数の発光素子７０は、適宜電気的に接続されている。第一面７１には、複数の発光素子７０に加えて、その他の実装部品及び配線用の導体等が設けられており、これらが設けられている領域を除いて、レジスト層が形成されている。第二面７２には、短手方向の中心を含む領域にレジスト層が形成されている。
【００１４】
基板７の２つの長辺にはそれぞれ、複数（図１では各辺につき６つ）の溝７３が設けられている。基板７は、各溝７３において基板７の短手方向に窪んでいる。複数の溝７３は、基板７の長手方向において互いに所定の間隔を空けて設けられている。
【００１５】
図２、３Ａに示すように、取付部材８は、ベース部８１と、２つの側部８２と、複数（図２では２つのみを図示）の保持部８３と、ストッパ８４と、を含む。取付部材８は、例えば鋼板により形成されている。ただし、取付部材８の材料は鋼板に限定されず、例えば、アルミニウム、銅又はステンレス等の金属材料により形成されていてもよい。
【００１６】
ベース部８１は、長尺の矩形板状に形成されている。
【００１７】
２つの側部８２は、ベース部８１の２つの長辺に一対一で対応しており、対応する長辺から突出している。各側部８２は、ベース部８１の長手方向に沿って長尺状に形成されている。各側部８２は、第一側部８２１と、第二側部８２２と、第三側部８２３と、引掛部８２４と、を有している。
【００１８】
第一側部８２１は、ベース部８１の長辺から突出している。第一側部８２１がベース部８１から突出している向きは、ベース部８１に対して斜め下向きである。また、第一側部８２１は、ベース部８１と繋がっている部分から離れた部分ほど、ベース部８１の短手方向においてベース部８１から離れている。第一側部８２１は、矩形板状に形成されている。
【００１９】
第二側部８２２は、第一側部８２１においてベース部８１側とは反対側の長辺から前後方向に突出している。第二側部８２２は、矩形板状に形成されている。第二側部８２２の厚み方向とベース部８１の厚み方向とは一致しており、第二側部８２２はベース部８１よりも下方に位置している。
【００２０】
第三側部８２３は、第二側部８２２において第一側部８２１側とは反対側の長辺から、第二側部８２２に直交する向き（上向き）に突出している。第三側部８２３は、矩形板状に形成されている。
【００２１】
引掛部８２４は、第三側部８２３において第二側部８２２側とは反対側の長辺に設けられている。引掛部８２４は断面Ｃ字状に形成されている。
【００２２】
上記により、取付部材８は、前後面と下面とを有する角樋状に形成されている。また、取付部材８は、下面がベース部８１において上向きに窪んだ形状に形成されている。
【００２３】
基板７の厚み方向とベース部８１の厚み方向とが一致し基板７の長手方向とベース部８１の長手方向とが一致するように、基板７は、ベース部８１に重ねられている。より詳細には、基板７の第二面７２は、わずかな隙間をあけてベース部８１の対向面８１０に対向している。取付部材８は、基板７において複数の発光素子７０から生じる熱を熱伝導により受け取って放熱する。第一側部８２１は、複数の発光素子７０から放射される光を反射する。なお、図３Ａでは基板７の厚みに対して第二面７２と対向面８１０との間の隙間を誇張して大きく示しており、実際の寸法比とは異なっている。
【００２４】
図２に示すように、複数の保持部８３は、ベース部８１の長手方向に沿った両辺付近に形成されている。各保持部８３は、Ｌ字状に形成されている。各保持部８３は、胴部８３１と、腕部８３２とを含む。胴部８３１は、ベース部８１の下面である対向面８１０から下向きに突出している。腕部８３２は、胴部８３１の下端から右向きに突出している。
【００２５】
複数の保持部８３は、ベース部８１に対して切り起こして形成されている。ベース部８１は、複数の保持部８３が切り起こされることにより形成された複数（図２では２つのみを図示）の開口部８５を有している。各開口部８５は、少なくとも一部が基板７により覆われている。
【００２６】
ストッパ８４は、ベース部８１の長手方向の先端（右端）付近に設けられている。ストッパ８４は、折り曲げられることで、一部がベース部８１に対して下向きに突出する。
【００２７】
基板７の複数の溝７３には、複数の保持部８３が通されている。基板７は、複数の溝７３の周縁で前後・左右方向において複数の保持部８３の胴部８３１に接している。
【００２８】
基板７は、保持部８３により保持されている。より詳細には、基板７には、第一面７１において、保持部８３の腕部８３２が引っ掛かっている。つまり、第一面７１に腕部８３２が接している。すなわち、基板７は、上側のベース部８１と下側の腕部８３２とに挟まれて保持されている。
【００２９】
さらに、基板７の長尺方向の一端（右端）は、ストッパ８４に接している。
【００３０】
図３Ａ、３Ｂに示すように、基板７の第二面７２とベース部８１の対向面８１０との間の領域１０には、複数の突起９が設けられている。各突起９は、対向面８１０から突出している。より詳細には、各突起９は、突起９自体が有する接着性により、対向面８１０に接着している。つまり、各突起９は、対向面８１０に固定されている。各突起９は、基板７との間の静摩擦係数が、基板７とベース部８１との間の静摩擦係数よりも小さい材料により形成されている。各突起９は、例えば、シリコーン樹脂の成型物である。各突起９は、ポッティング等の方法により設けられている。複数の突起９は、ベース部８１の短手方向の両端付近に設けられている。また、複数の突起９は、ベース部８１の長手方向に沿って互いに所定の間隔を空けて設けられている。より詳細には、複数の突起９は、複数の開口部８５に一対一で対応しており、対応する開口部８５に隣接している。各突起９は、基板７の第二面７２とベース部８１の対向面８１０との間の摩擦を低減する。突起９は弾性を有している。突起９は、少なくとも上下方向に伸縮するように弾性変形する。すなわち、突起９は、少なくとも、第二面７２と対向面８１０とが対向している方向に伸縮するように弾性変形する。
【００３１】
上述の通り、ベース部８１と腕部８３２とは、間に基板７を挟んで基板７を保持している。したがって、ベース部８１と腕部８３２との間の距離が短いほど、基板７とベース部８１とが対向している方向（上下方向）における領域１０の長さは短く、基板７及びベース部８１から各突起９に加わる力の大きさが大きい。ところで、基板７は、発光素子７０で生じる熱の影響及び周囲の温度の変化によって熱膨張したり、熱収縮したりする。複数の保持部８３は、常温で基板７及びベース部８１から各突起９に大きな力が加わっていない状態となるように、寸法が設計されていることが好ましい。このため、複数の保持部８３は、複数の突起９が無い場合とは異なる寸法に設計されている。
【００３２】
図１に示すように、器具本体３は、主部３１と、２つの蓋部３２とを含む。主部３１は、左右方向に長尺かつ上面と左右の面とが開口した箱状に形成されている。主部３１は、下面に凹部３１１を有している。凹部３１１は、主部３１の長尺方向に沿って、主部３１の全長に亘って設けられている。凹部３１１には、ボルトを通して器具本体３を天井材に取り付けるための２つの孔３３が設けられている。さらに、凹部３１１には、常用電源（例えば、商用電源）から交流電力を供給する電源線を通すための孔３４が設けられている。２つの蓋部３２は、主部３１の長手方向の両端を塞ぐように取り付けられている。
【００３３】
カバー４は、半円筒状のカバー本体４１と、２つのエンド部材４２とを含む。カバー本体４１は、例えば、アクリル樹脂又はポリカーボネート樹脂などの透光性を有する樹脂材料により形成されている。カバー本体４１は、左右方向に長尺であり、上面と左右の面とが開口している。カバー本体４１の前後の面の上端には、２つ（図１では１つのみを図示）の突起部４１１が設けられている。２つのエンド部材４２は、カバー本体４１の長手方向（左右方向）の両端を塞ぐように取り付けられている。
【００３４】
電源装置５は、電源用基板５１と、電源用基板５１に実装された電源回路５２と、ケース５３と、絶縁シート５４とを含む。電源用基板５１は、例えばプリント配線板である。電源回路５２は、例えば、トランス、ダイオード、コンデンサ、スイッチング素子及びマイクロコンピュータ等を含み、これらによりフィルタ回路、昇圧回路、降圧回路、調光制御回路及び消灯制御回路等の回路を構成している。電源回路５２は、常用電源から供給される交流電力を直流電力に変換する。さらに、電源回路５２は、直流電力を各発光素子７０に供給して、各発光素子７０を点灯させる。ケース５３は、下面が開口した箱状に形成されている。ケース５３には、電源用基板５１と電源回路５２とが収容されている。絶縁シート５４は、樹脂などの電気絶縁性の材料により形成されている。絶縁シート５４は、ケース５３に収容されており、電源用基板５１と電源回路５２とを下方から覆っている。
【００３５】
端子ブロック６は、矩形箱形状に形成された端子台６１と、端子台６１を取付部材８に取り付けるための取付金具６２と含む。端子台６１には、常用電源から交流電力を供給する電源線が接続される。端子台６１を介して、電源装置５に交流電力が供給される。
【００３６】
電源装置５及び端子ブロック６は、取付部材８のベース部８１の上面に、ねじ等を用いて取り付けられている。取付部材８は、更に基板７が取り付けられた状態で、引掛部８２４（図２参照）がカバー本体４１の突起部４１１に引っ掛けられている。これにより、基板７の第一面７１は、カバー本体４１に覆われている。さらに、取付部材８は、器具本体３の凹部３１１に収まった状態で、取付部材８の上面に取り付けられた図示しない金具等を介して器具本体３に取り付けられている。すなわち、光源ユニット２が器具本体３に取り付けられている。
【００３７】
次に、光源ユニット２において基板７が熱膨張又は熱収縮するときの挙動について、図３Ａ、３Ｂを参照して説明する。
【００３８】
上述の通り、基板７はベース部８１に対向しており、保持部８３により保持されている。領域１０の一部には、突起９が設けられている。基板７とベース部８１とは、突起９を介して互いの位置関係を変化させる。これにより、基板７と取付部材８との間に働く力が小さくても、基板７とベース部８１との位置関係が変化しやすくなる。したがって、基板７が熱膨張又は熱収縮した場合に、基板７と取付部材８との間に働く力は、基板７を撓ませるように作用するのではなく、基板７とベース部８１との位置関係を変化させるように作用しやすくなる。すなわち、基板７が熱膨張又は熱収縮することに応じて、基板７とベース部８１との位置関係がゆっくりと変化しやすい。保持部８３はベース部８１から突出しているので、このとき、基板７と保持部８３との接触箇所もゆっくりと移動しやすい。したがって、基板７と取付部材８との接触箇所が一瞬で大きく移動して異音が発生することを抑制することができる。すなわち、突起９が無い場合よりも、基板７と取付部材８とがこすれ合って異音が発生することを抑制することができる。
【００３９】
また、基板７が熱膨張又は熱収縮したとき、保持部８３が基板７をベース部８１に近づける向き（上向き）に押す力が増加する場合がある。このような力は、基板７を撓ませるので、基板７は、撓む前の形状に戻る過程で取付部材８とこすれ合って異音を発生しやすくなる。そこで、上述の通り、突起９は弾性を有している。突起９は、保持部８３が基板７をベース部８１に近づける向き（上向き）に押す力を、弾性変形して吸収（緩衝）する。例えば、突起９は、このような力を受けて上下方向の長さが短くなり、前後・左右方向の長さが長くなるように弾性変形することにより、力を吸収（緩衝）する。これにより、基板７が撓むことを抑制できるので、基板７と取付部材８とがこすれ合って異音が発生することを更に抑制することができる。
【００４０】
上記の通り、本実施形態に係る光源ユニット２は、基板７と、取付部材８と、突起９と、を備える。基板７は、第一面７１と、第一面７１とは反対側の第二面７２と、を有する。第一面７１には、複数の発光素子７０が設けられている。取付部材８は、ベース部８１と、保持部８３と、を含む。ベース部８１は、対向面８１０を有する。対向面８１０は、第二面７２に対向する。保持部８３は、対向面８１０から突出している。保持部８３は、基板７に引っ掛かっている。保持部８３は、基板７を保持する。突起９は、第二面７２と対向面８１０との間の領域１０の一部に設けられている。突起９は、第二面７２又は対向面８１０から突出している。
【００４１】
上述の通り、光源ユニット２において、基板７は、取付部材８のベース部８１の対向面８１０に対向しており、対向面８１０から突出している保持部８３により保持されている。基板７の第二面７２とベース部８１の対向面８１０との間の領域１０の一部には、突起９が設けられている。突起９が設けられていることにより、基板７とベース部８１との位置関係が変化しやすくなる。したがって、基板７が熱膨張又は熱収縮することに応じて、基板７とベース部８１との位置関係がゆっくりと変化しやすい。すなわち、基板７と取付部材８との接触箇所が一瞬で大きく移動して異音が発生することを抑制することができる。つまり、突起９が無い場合よりも、基板７と取付部材８とがこすれ合って異音が発生することを抑制することができる。
【００４２】
また、本実施形態に係る光源ユニット２では、突起９は弾性を有する。
【００４３】
上述の通り、突起９は弾性を有するので、基板７が熱膨張又は熱収縮したときに、突起９は、基板７と取付部材８との間に働く力を、弾性変形して吸収（緩衝）する。これにより、基板７が撓むことを抑制できるので、基板７と取付部材８とがこすれ合って異音が発生することを更に抑制することができる。
【００４４】
また、本実施形態に係る光源ユニット２では、ベース部８１は、開口部８５を有する。開口部８５は、保持部８３が切り起こされることにより形成されている。突起９は、開口部８５に隣接している。
【００４５】
上述の通り、ベース部８１は、保持部８３が切り起こされることにより形成された開口部８５を有している。つまり、開口部８５は保持部８３に隣接している。また、突起９は、開口部８５に隣接している。つまり、基板７が熱膨張又は熱収縮して基板７と保持部８３との間に力が働いたとき、突起９は、力の作用点の近くにある。したがって、突起９が保持部８３から離れて設けられている場合と比較して、基板７と保持部８３との間の力は、突起９を介して基板７とベース部８１との位置関係をゆっくりと変化させるように作用しやすい。すなわち、基板７と取付部材８とがこすれ合って異音が発生することを更に抑制することができる。
【００４６】
また、本実施形態に係る光源ユニット２では、突起９は、基板７とベース部８１とのうち突起９が突出していない部位（基板７）との間の静摩擦係数が、基板７とベース部８１との間の静摩擦係数よりも小さい材料により形成されている。
【００４７】
上述の通り、突起９は、基板７とベース部８１とのうち突起９が突出していない側との間の静摩擦係数が、基板７とベース部８１との間の静摩擦係数よりも小さい材料により形成されている。これにより、基板７とベース部８１とは突起９を介して滑りやすい。したがって、基板７が熱膨張又は熱収縮した場合に、基板７と取付部材８との間に働く力が小さくても、基板７とベース部８１との位置関係が更に変化しやすい。これにより、基板７と取付部材８とがこすれ合って異音が発生することを更に抑制することができる。
【００４８】
また、本実施形態に係る光源ユニット２では、突起９は、シリコーン樹脂により形成されている。
【００４９】
上述の通り、突起９は、シリコーン樹脂により形成されているので、ポッティング等の簡易な方法で形成することができる。
【００５０】
また、本実施形態に係る照明器具１は、光源ユニット２と、器具本体３と、を備える。器具本体３には、光源ユニット２が取り付けられる。
【００５１】
上述の通り、本実施形態に係る照明器具１が備える光源ユニット２において、基板７は、取付部材８のベース部８１の対向面８１０に対向しており、対向面８１０から突出している複数の保持部８３により保持されている。基板７の第二面７２とベース部８１の対向面８１０との間の領域１０の一部には、突起９が設けられている。突起９が設けられていることにより、基板７が熱膨張又は熱収縮した場合に、基板７とベース部８１との位置関係がゆっくりと変化しやすい。したがって、基板７と取付部材８との接触箇所が一瞬で大きく移動して異音が発生することを抑制することができる。すなわち、突起９が無い場合よりも、基板７と取付部材８とがこすれ合って異音が発生することを抑制することができる。
【００５２】
ところで、本実施形態では、複数の突起９は、複数の開口部８５に一対一で対応しており、対応する開口部８５に隣接している。ただし、突起９の数は、複数の開口部８５と同数に限定されず、１つ以上であればよい。すなわち、突起９の数は、複数の開口部８５の数よりも多くても、少なくてもよい。また、突起９は、開口部８５に隣接していなくてもよい。突起９は、開口部８５を含む領域に設けられていてもよい。例えば、突起９は、開口部８５よりも大径に形成されており開口部８５を覆うように設けられていてもよい。
【００５３】
あるいは、複数の突起９は、複数の保持部８３に一対一で対応して、対応する保持部８３に隣接していてもよい。ただし、突起９の数は、複数の保持部８３と同数に限定されず、１つ以上であればよい。すなわち、突起９の数は、複数の保持部８３の数よりも多くても、少なくてもよい。
【００５４】
上記の通り、本変形例に係る光源ユニット２では、突起９は、保持部８３に隣接している。つまり、基板７が熱膨張又は熱収縮して基板７と保持部８３との間に力が働いたとき、突起９は、力の作用点の近くにある。したがって、突起９が保持部８３から離れて設けられている場合と比較して、基板７と保持部８３との間の力は、突起９を介して基板７とベース部８１との位置関係をゆっくりと変化させるように作用しやすい。すなわち、基板７と取付部材８とがこすれ合って異音が発生することを更に抑制することができる。
【００５５】
また、本実施形態では、突起９がベース部８１の対向面８１０から突出している。これに対して、図４Ａ、４Ｂに示すように、突起９は、基板７の第二面７２から突出していてもよい。このとき、突起９は、ベース部８１との間の静摩擦係数が、基板７とベース部８１との間の静摩擦係数よりも小さい材料により形成されていることが好ましい。
【００５６】
また、突起９が複数設けられている場合は、複数の突起９のうち一部が第二面７２から突出していて、残りが対向面８１０から突出していてもよい。このとき、第二面７２から突出している突起９は、ベース部８１との間の静摩擦係数が、基板７とベース部８１との間の静摩擦係数よりも小さい材料により形成されていることが好ましい。また、対向面８１０から突出している突起９は、基板７との間の静摩擦係数が、基板７とベース部８１との間の静摩擦係数よりも小さい材料により形成されていることが好ましい。
【００５７】
また、突起９は、固形に形成されていてもよいし、半固形に形成されていてもよい。
【００５８】
また、突起９は、ベース部８１又は基板７の一部として設けられていてもよい。
【００５９】
また、突起９には、潤滑剤が塗布されていてもよい。潤滑剤としては、例えば、シリコーンオイル等の合成油、鉱油又は天然油脂を用いることができる。
【００６０】
また、発光素子７０は、発光ダイオード素子に限定されない。例えば、発光素子７０として、有機エレクトロルミネッセンス素子又はレーザーダイオード素子等を用いてもよい。
【００６１】
また、本実施形態では、保持部８３の数は１２個であるが、保持部８３の数は１２個に限定されず、１〜１１個であってもよいし、１３個以上であってもよい。
【００６２】
また、本実施形態では、保持部８３の腕部８３２は、胴部８３１から、ベース部８１の長手方向に突出しているが、腕部８３２は、胴部８３１から、ベース部８１の短手方向に突出していてもよい。
【００６３】
また、基板７には、溝７３に代えて、基板７の外縁を含まない部分に貫通孔が設けられていてもよい。あるいは、溝７３が設けられていなくてもよい。
【００６４】
上記の各変形例であっても、光源ユニット２は、突起９が無い場合よりも、基板７と取付部材８とがこすれ合って異音が発生することを抑制することができる。
【００６５】
なお、以上説明した実施形態は本発明の一例である。このため、本発明はこれらの実施形態に限定されず、本発明の趣旨を逸脱しない範囲において種々の変形が可能である。
【符号の説明】
【００６６】
１  照明器具
２  光源ユニット
３  器具本体
７  基板
７０  発光素子
７１  第一面
７２  第二面
８  取付部材
８１  ベース部
８１０  対向面
８３  保持部
８５  開口部
９  突起
１０  領域
【図１】
2018133148.tif 000003
【図２】
2018133148.tif 000004
【図３】
2018133148.tif 000005
【図４】
2018133148.tif 000006